(57)【要約】【課題】部品点数を増やすことなく、ノブ周辺からメータ内に水分などが浸入しても、回路基板に悪影響を及ぼす虞の少ないスイッチ装置を提供する。【解決方法】保護カバー１と、操作軸１０が収納保持され、保護カバー１の背面側に配置されるケース２０と、ケース２０の背面側に設けられ、操作軸１０と相対して設けられるスイッチ３１を搭載した回路基板３０とを備えたスイッチ装置であって、操作軸１０には保護カバー１とケース２０との間にフランジ部１３１と、外部から浸入した水分を受ける受部１３を設け、ケース２０の開口部１３３に対応した位置に、受部１３を介して流入した水分をケース２０外に排水するための排水路２４を設け、開口部１３３から流れ出る水分を排水路２４に導くために設けられた受水路２３が、受水路２３の一部分を上側として所定の空間を空けて排水路２４とオーバーラップする重合部２３０を有する。【選択図】図３
2010192243.tif 000002
【特許請求の範囲】
【請求項１】
少なくとも一部が透視可能な保護カバーと、前記保護カバーを貫通して設けられる操作部材と、前記操作部材が収納保持され、前記保護カバーの背面側に配置される受板部材と、前記受板部材の背面側に設けられ、前記操作部材と相対して設けられるスイッチを搭載した回路基板とを備えたスイッチ装置であって、
前記操作部材は前記保護カバーと前記受板部材との間にフランジ部と、
このフランジ部の周壁をなすと共に少なくとも一部に開口部を有する立壁部とでなり外部から浸入した水分を受ける受部を設け、
前記受板部材の前記開口部に対応した位置に、前記受部を介して流入した水分を受板部材外に排水するための排水路を設け、
前記開口部から流れ出る水分を前記排水路に導くために設けられた受水路が、前記受水路の一部分を上側として所定の空間を空けて前記排水路とオーバーラップする重合部を有することを特徴とするスイッチ装置。
【請求項２】
前記受水路または前記排水路のうち少なくとも一方が、前記受板部材の外部に向けて傾斜していることを特徴とする請求項１に記載のスイッチ装置。
【発明の詳細な説明】
【技術分野】
【０００１】
本発明は、例えば車両の計器装置に用いられ、計器装置の内部に配置されたスイッチを計器装置の外部から操作する操作部材を備えたスイッチ装置に関するものである。
【背景技術】
【０００２】
従来のスイッチ装置として、例えば下記特許文献に記載のものがある。特許文献１に記載のスイッチ装置は、ケースと、このケースの底部を覆うカバーと、前記ケースと前記カバーとの間に、前記カバー底部から隙間を設けて収納される回路基板を配置し、その回路基板上にタクトスイッチを搭載して、前記タクトスイッチに対応するように弾性片を備えたノブを前記ケースに貫通させ、そのノブを上下に操作させて前記タクトスイッチと当接させることで、例えばオン、オフなどの所定操作を行うというものである。ノブが上下に移動可能なように、ノブの周囲には僅かに隙間が設けてある。このように構成されたスイッチ装置において、ノブを下方に押すことによって操作部が下方に撓み、タクトスイッチが押圧される。また、下方への押圧を止めると弾性により操作部とノブが元の位置に戻る仕組みとなっている。
【０００３】
また、下記特許文献２に記載のスイッチ装置は、ケースから突出したノブを有するため、ケースとノブとの隙間から塵や水が浸入する虞があり、スイッチ装置の防水性を確保するために、ノブの上部を覆うゴムパッキンを装着して隙間をなくす構造としたものである。
【先行技術文献】
【特許文献】
【０００４】
【特許文献１】特開平１１−８５９４１号公報
【特許文献２】特開平９−７３８３３号公報
【発明の概要】
【発明が解決しようとする課題】
【０００５】
しかしながら、特許文献１に記載のスイッチ装置は、ケースとノブとの間に隙間があるために防水性に乏しく、仮にその隙間から水分が浸入した場合は、回路基板などの内部部品が水分と触れることで、内部部品に悪影響を及ぼす虞があった。そこで、特許文献２に記載のようなスイッチ装置を用いることが考えられるが、防水性を保つためにノブの周縁にパッキンを使用するため、ノブを操作しづらく、さらに高温環境下において使用されることが考えられるため、太陽光などでパッキンが劣化しやすいなどの問題点や、部品点数が増えてしまうことなどから、更なる改良が望まれていた。
【０００６】
本発明は、この様な点に鑑みなされたもので、部品点数を増やすことなく、ノブ周辺からメータ内に水分などが浸入しても、回路基板に悪影響を及ぼす虞の少ないスイッチ装置を提供することを目的とする。
【課題を解決するための手段】
【０００７】
本発明は前記課題を解決するため、少なくとも一部が透視可能な保護カバーと、前記保護カバーを貫通して設けられる操作部材と、前記操作部材が収納保持され、前記保護カバーの背面側に配置される受板部材と、前記受板部材の背面側に設けられ、前記操作部材と相対して設けられるスイッチを搭載した回路基板とを備えたスイッチ装置であって、前記操作部材は前記保護カバーと前記受板部材との間にフランジ部と、このフランジ部の周壁をなすと共に少なくとも一部に開口部を有する立壁部とでなり外部から浸入した水分を受ける受部を設け、前記受板部材の前記開口部に対応した位置に、前記受部を介して流入した水分を受板部材外に排水するための排水路を設け、前記開口部から流れ出る水分を前記排水路に導くために設けられた受水路が、前記受水路の一部分を上側として所定の空間を空けて前記排水路とオーバーラップする重合部を有するものである。
【０００８】
また、本発明は前記受水路または前記排水路のうち少なくとも一方が、前記受板部材の外部に向けて傾斜しているものである。
【発明の効果】
【０００９】
部品点数を増やすことなく、ノブ周辺からメータ内に水分などが浸入しても、回路基板に悪影響を及ぼす虞の少ないスイッチ装置を得ることができる。
【図面の簡単な説明】
【００１０】
【図１】本発明の第１の実施形態におけるスイッチ装置の正面図。
【図２】同上のＡ−Ａ断面図。
【図３】同上のＢ−Ｂ断面図。
【図４】同上の操作部斜視図。
【図５】同上の要部詳細図。
【発明を実施するための最良の形態】
【００１１】
以下、添付図面に基づいて、本発明の実施例を指針式表示装置に適用した例を説明する。図１は、本発明の第１の実施形態におけるスイッチ装置の正面図である。図２は本発明の第１の実施形態におけるスイッチ装置のＡ−Ａ断面図である。図３は、Ｂ−Ｂ断面図である。図４は、操作部の斜視図である。図５は、本発明の第１の実施形態のケースに収納された操作部を示す斜視図である。
【００１２】
図１から図３に示すように、スイッチ装置は透明な合成樹脂からなる保護カバー１と、保護カバー１に設けられた貫通孔２に挿入される操作軸１０と、操作軸１０が収納されるとともに係止されるケース２０（受板部材）と、ケース２０の背面側に配置される硬質の回路基板３０と、回路基板３０の背面側に配置される半透明な合成樹脂性の裏カバー４０とから主に構成されている。
【００１３】
本発明における操作軸１０は、合成樹脂からなり、図４に示すように、略円柱状の操作部１１と、後述するタクトスイッチを押す押圧部１２と、操作軸１０のほぼ中心部分に位置する受部１３と、操作軸１０よりも外側に突出した２本の腕片１４とからなる。
【００１４】
操作部１１は、保護カバー１に設けられた貫通孔２よりも経小になるように形成されている。そのため、保護カバー１と操作部１１の間には僅かな隙間があり、従来のスイッチ装置のように、パッキンを用いて操作部周辺を塞いでしまうものよりも、操作しやすく構成されている。
【００１５】
押圧部１２は、操作軸１０と一体に形成された突出片からなり、操作軸１０が後述する保持部に収納された際には、押圧部１２の先端が回路基板３０に設けられたタクトスイッチ３１と当接せず、押圧操作をされた場合のみ当接する長さに形成されている。
【００１６】
受部１３は、保護カバー１と操作部１１との隙間から浸入した水分を受け止めるために設けられるもので、フランジ部１３１と、立壁部１３２とでなる。フランジ部１３１は操作軸１０の操作方向と直交する方向に延びる平面を有している。立壁部１３２はフランジ部１３１の周壁をなすもので、水の排水箇所となる部位には、フランジ部１３１の延長方向に開口する開口部１３３が形成されている。
【００１７】
立壁部１３２は、フランジ部１３１で受け止められた水分が回路基板３０側に流出するのを防ぐために設けられるものであり、開口部１３３を除いたフランジ部１３１の周囲に設けられている。通常このスイッチ装置が搭載される指針式計器装置は傾斜状態で配置されるため、フランジ部１３１で受け止められた水分は、開口部１３３から後述する受水路及び排水路へ流れる仕組みとなっている。
【００１８】
受水路２３は、フランジ部１３１の開口部１３３が位置する箇所であり、フランジ部１３１に流入した水分をケース２０外に排出するべく延長形成されたものである。受水路２３は、ケース２０に設けられた排水路２４と所定の空間を空けて排水路２４の上側にオーバーラップする重合部２３０を有している。また、この空間があることによって操作部を押圧した場合にフランジ部が保持部に当接するので、操作部の押し過ぎを防ぐことができる。このように構成することで、フランジ部１３１に溜まった水分がケース２０外部に排水される際に回路基板３０側に溢れるのを防止できるため、確実な排水が可能である。
【００１９】
本実施形態による操作部１１は、図５に示すように、隣接して設けられる液晶ユニット５０のセルケース５１と一体形成された保持部２２に腕片１４を嵌合させることで固定保持される。フランジ部１３１と係止部１４１との間には、バネ１５が装着されてあり、操作軸１０を下方に押圧することで、バネ１５が収縮し、押圧部１２の先端がタクトスイッチ３１と当接する仕組みとなっていて、押圧を止めると、バネの弾性により押圧部１２と操作部１１が上方に戻る。
【００２０】
本実施形態によるケース２０には、図３に示すように、受水路２３と排水路２４が所定の空間を空けてオーバーラップするように、排水路２４がケース２０内側端部から突出形成されている。
【００２１】
排水路２４は、ケース２０の端部に切り込みを入れたような有底の溝からなり、本実施形態ではその幅はフランジ部１３１よりも狭くなっているが、フランジ部１３１に流入した水分がケース２０外に排出される構造ならば、その大きさは任意である。
【００２２】
以上の通り、本実施形態では、少なくとも一部が透視可能な保護カバー１と、保護カバー１を貫通して設けられる操作軸１０と、操作軸１０が収納保持され、保護カバー１の背面側に配置されるケース２０と、ケース２０の背面側に設けられ、操作軸１０と相対して設けられるスイッチ３１を搭載した回路基板３０とを備えたスイッチ装置であって、操作軸１０には保護カバー１とケース２０との間にフランジ部１３１と、このフランジ部１３１の周壁をなすと共に少なくとも一部に開口部１３３を有する立壁部１３２とでなり外部から浸入した水分を受ける受部１３を設け、前記受部を介して流入した水分をケース２０外に排水するための受水路２３と、受水路２３から排水された水分をケース２０外に排水するための排水路２４を設け、開口部１３３から流れ出る水分を排水路２４に導くために設けられた受水路２３が、受水路２３の一部分を上側として所定の空間を空けて排水路２４とオーバーラップする重合部２３０を有することにより、保護カバー１と操作軸１０との隙間から流入した水分を受水路２３と排水路２４を介してケース２０外に排出させることができるため、ケース２０内に収納されている回路基板３０などの内部部品を破損させてしまうなどの悪影響を防ぐことができる。
【００２３】
また本実施形態では、受水路２３または排水路２４のうち少なくとも一方が、ケース２０の外部に向けて傾斜していることにより、平らな状態で車両用計器に配置されても、確実な排水を確保できる。
【００２４】
また、本実施例における開口部１３３は、その開口部分が狭まった形状としているが、水分が排水路２４側に流れる出口が確保されていればよく、例えばその形状がフランジ部１３１の幅と同じであったり、末広がりであったりしてもよい。
【００２５】
なお、受部１３は、保護カバー１とケース２０との間に設ければよく、フランジ部１３１は、貫通孔２やケース２０の押圧部１２が通る孔よりも大きく設定するのが望ましい。  
【００２６】
なお、排水路２４は、受水路２３と排水路２４が所定の空間を空けてオーバーラップする構造であれば、排水路２４がケース２０内側端部から突出形成されていなくてもよく、例えばケース２０に切り込みを入れただけでもよい。  
【符号の説明】
【００２７】
１      保護カバー
２      貫通孔
１０    操作軸（操作部材）
１１    操作部
１２    押圧部
１３    受部
１４    腕片
１５    バネ
２０    ケース          
２２    保持部            
２３    受水路
２４    排水路
３０    回路基板
３１    タクトスイッチ
４０    裏カバー
５０    液晶ユニット
５１    セルケース
１３１  フランジ部
１３２  立壁部
１３３  開口部
１４１  係止部
２３０  重合部
【図１】
2010192243.tif 000003
【図２】
2010192243.tif 000004
【図３】
2010192243.tif 000005
【図４】
2010192243.tif 000006
【図５】
2010192243.tif 000007